(57)【特許請求の範囲】
【請求項１】
津波流に対する対抗材を地面に埋め込み式に立設して同対抗材により人が押寄激流に流されないようにするための津波避難装置であって、前記対抗材は、平坦なフランジ部とその両側辺から斜めに立ち上がる一対の斜壁部とを有して矢板溝を形成した長尺状のＵ形矢板でなり、これら矢板である対抗材は、津波流の流れてくる方向を基準にして前部と後部に離間して配置されてなり、前部は、各矢板溝を内向きする形でＶ字形をなす左右対称配置とされた一対の矢板の組み合わせでなるとともに、同前部は、津波流が流れてくる前側において津波流を左右に切り分け可能に左右の斜壁部同士を突合せた状態としかつ左右のフランジ部が津波流を切り分けるように前方へ向けて先細り状をなす関係にして配置され、前記後部は、前記前部の後方位置に離間して配置されて矢板溝を津波流の流れてくる方向である前方へ向けて配置されている津波避難装置。
【発明の詳細な説明】
【０００１】
【発明の属する技術分野】
この発明は、津波避難装置に関する。
【０００２】
【従来の技術】
古来から巨大地震が発生すると当然のように津波（洪水等を含む意味でここでは広く押寄激流という）が発生し、この津波は海岸線から陸上に押し寄せて大勢の人や民家等をのみ込み甚大な被害を与えることはよく知られている。
【０００３】
【発明が解決しようとする課題】
しかし、これまでは、大規模な堤防を造る他に簡易な津波対策は講じられていなかった。
【０００４】
この発明は前記課題を解決するためになされたもので、大規模なものでなく簡易に津波による押寄激流に対処して津波から身を守ることのできる津波避難装置を提供することを目的とする。
【０００５】
【課題を解決するための手段】
前記課題を解決するため、請求項１に記載の発明は、津波流に対する対抗材を地面に埋め込み式に立設して同対抗材により人が押寄激流に流されないようにするための津波避難装置であって、前記対抗材は、平坦なフランジ部とその両側辺から斜めに立ち上がる一対の斜壁部とを有して矢板溝を形成した長尺状のＵ形矢板でなり、これら矢板である対抗材は、津波流の流れてくる方向を基準にして前部と後部に離間して配置されてなり、前部は、各矢板溝を内向きする形でＶ字形をなす左右対称配置とされた一対の矢板の組み合わせでなるとともに、同前部は、津波流が流れてくる前側において津波流を左右に切り分け可能に左右の斜壁部同士を突合せた状態としかつ左右のフランジ部が津波流を切り分けるように前方へ向けて先細り状をなす関係にして配置され、前記後部は、前記前部の後方位置に離間して配置されて矢板溝を津波流の流れてくる方向である前方へ向けて配置されている。
【０００６】
【発明の実施の形態】
以下、図示した実施形態を参照してこの発明を詳細に説明する。
【０００７】
図１は、この発明の一実施形態を示すもので、同図において、１は砂浜（地面）、２は海面である。
【０００８】
砂浜１には、仮想線で示すように予め穴３が深く掘られている。
【０００９】
同穴３には、３ｍ前後の丸棒（木材やコンクリートあるいは金属やプラスチック等、材質はいかなるものでもよい）でなる対抗材（対抗手段）５が上半部分を砂浜１から垂直に立直させた状態で埋め込み状に設置されている。
【００１０】
同対抗材５は、図では１本であるが、海岸線に沿ってあるいは砂浜１の奥行き方向に複数本立設する。複数本立設された相互間は連結材（木材やロープ等）で継いでもよい。上部間および／または下部間で継いでもよい。この対抗材５の土中に対応する外周には、コンクリート等でドーナツ形に形成した重り６…が上下に複数段同時埋め込みされて対抗材５が容易に抜けたり倒れたりしないようにしてある。
【００１１】
この対抗材５の上部には、人７の腰回りを抱き持つ保持ループ８や掴みループ９を備えて、いざという時にこれらにより津波で人７が流されないようにしている。尚、対抗材５は、丸等のパイプであったり、斜材を備えたり、仮想線のように、津波に対して後傾状になっていてもよい。
【００１２】
図２は、アングル材でなる対抗材１１をその稜線が津波の正逆方向の流れに対向するように前後に対向状に配置してある。その対抗材１１に図１のような人を保持する手段を付してもよく、これらの対抗材１１，１１間に人が避難できるようにしてもよい。尚、対抗材１１は半丸パイプやＩ形、Ｈ形材等であってもよい。
【００１３】
図３に示す実施形態のように、図２のような対抗材１１，１１を津波の流れに対して後傾状になるようにして側方視山形状に組み合わせてもよい。尚、対抗材１１，１１の上端間には間隔があってもよい。
【００１４】
図４は、対抗材１３が矢板であり、これを津波の流れる方向に前後対向状に配したものである。そして、その前後間の空間を避難空間としてある。特に、津波が当たる前面には、丸パイプや図２のようなアングル材等による波避け材１４を止め付けるようにすれば、津波が左右に分かれて衝撃を小さくすることができる。尚、同対抗材１３は、前後対向状であっても前面のみであってもよい。
【００１５】
対抗材１３は、図５に示すように、斜めに立設してもよい。１５は保持ループであり、１６は固定材である。
【００１６】
図６は、対抗材１８が矢板であり、特に、津波流が左右に分かれて流れゆくように前部のものが左右一対の矢板の組み合わせで後部のものが単一枚の矢板で戻り流に対するものになっている。
より具体的には、津波流に対する対抗材を地面に埋め込み式に立設して同対抗材により人が押寄激流に流されないようにするための津波避難装置であって、前記対抗材は、平坦なフランジ部とその両側辺から斜めに立ち上がる一対の斜壁部とを有して矢板溝を形成した長尺状のＵ形矢板でなり、これら矢板である対抗材は、津波流の流れてくる方向を基準にして前部と後部に離間して配置されてなり、前部は、各矢板溝を内向きする形でＶ字形をなす左右対称配置とされた一対の矢板の組み合わせでなるとともに、同前部は、津波流が流れてくる前側において津波流を左右に切り分け可能に左右の斜壁部同士を突合せた状態としかつ左右のフランジ部が津波流を切り分けるように前方へ向けて先細り状をなす関係にして配置され、前記後部は、前記前部の後方位置に離間して配置されて矢板溝を津波流の流れてくる方向である前方へ向けて配置されている。
【００１７】
図７は、対抗材１２０が矢板でこれらを前後だけでなく左右にも配して四方から囲うように配置してある。その内部が避難空間になっている。
【００１８】
図８は、対抗材２２がコンクリートや木材等により丸支柱あるいは丸パイプ状に形成されたものを上からみて４点（３点あるいは４点以上でもよい）に配置され、その１本あるいは複数本に保持ループ２３を備えたものである。
尚、隣合う対抗材２２…間に横板等の対抗材を配してもよい。
【００１９】
図９は、同じく対抗材２５が図８のようなもので同じ配置とされたものであり、特に、これらの対抗材２５…の前後及び左右間をループ２６で継ぎ、これらループ２６が人の背中を受け止めたり掴んだりするものになって津波に流されないようになっている。
【００２０】
図１０は、打ち込まれた複数本の杭２８…を支えにして横板状の対抗材２９…を前後対向状あるいは前後１面状に配したものである。これらで形成される空間を避難空間とする。
【００２１】
図１１は、前脚３１と後脚３２とこれらの上部間を継ぐ波避け板３３とでなり、前脚３１と後脚３２が前傾状で波避け板３３が津波を受けて上方の流れに変えるようにしたものである。尚、仮想線のように、上補助板３４を備えたり、地面に避難凹所３５を形成したりしてもよい。
【００２２】
図１２は、直径５０ｃｍ〜２ｍ程度の比較的大径のコンクリートパイプその他の材質の対抗材３７を避難空間としたもので、この対抗材３７を垂直に立設してもよいが、図示の場合、津波に対して後傾状に埋め込み、その上端を開口したままにしてもよいが図示の場合、蓋３８を開閉自在に支持し、さらには、防災用具ボックス３９を備え付けてある。尚、対抗材３７の後面には、エアー抜きパイプ４０を備えておいてもよい。
【００２３】
尚、角形のコンクリートパイプを横軸向きに置いてもよい。また、丸形のコンクリートパイプを横軸置きにしてもよい。
【００２４】
図１３は、洪水対策を示した付加的な例であり、４２は堤防、４３は河川、４４は水面であり、この河川４３に洪水が発生して水嵩が増してきた場合、同河川４３に沿って強制送水チューブ４５をできるだけ長く投入し、同チューブ４５の上流端に送水駆動手段４６を例えば、スクリュー等として装備して同チューブ４５内を通じて他の流れ速度ｘよりも速く例えば、３倍〜５倍の速度Ｘで送ることにより、増水を抑制するようにしたものである。チューブ４５はできるだけ河川の河口手前まで繋げる方が好ましい。尚、送水駆動手段４６は、可撓式駆動軸４７にしたり、あるいはコンベア駆動装置によって構成することができる。
また、チューブ４５は、軟質で通常は偏平なものであるものや、図示のように蛇腹状のものでもよい。チューブ４５は複数本でもよい。
さらに、矢印Ａのように、チューブ４５の中途からエアー（水を混ぜてもよい）Ａを注入してその噴流によりチューブ４５の上流開口より水を吸い込むようにしてもよい。また、矢印Ｗのようにポンプで汲み上げた水をチューブ４５の上端開口に投入して水を誘引しＸの流れを作るようにしてもよい。この場合、エアーを混ぜることも可能である。
前記各方法の適宜な組み合わせも可能である。
【００２５】
【発明の効果】
この発明は以上のように構成されているので、大規模なものでなく、簡易に押寄激流に対処できる津波等の押寄激流に対する避難方法を提供することができる。
【図面の簡単な説明】
【図１】この発明の一実施形態を示す断面図。
【図２】他の実施形態を示す平面図。
【図３】他の実施形態を示す側断面図。
【図４】矢板を対抗材とした実施形態を示す平面図。
【図５】矢板を対抗材とし後傾斜状にした実施形態を示す側断面図。
【図６】矢板で津波の流れを変えるようにした実施形態を示す平面図。
【図７】矢板を四方に配して避難空間を形成するようにした実施形態の平面図。
【図８】支柱状の対抗材を４点配置して避難空間を形成した他の実施形態を示す平面図。
【図９】支柱状の対抗材を４点配置してループを張り避難空間とした実施形態を示す平面図。
【図１０】横板が対抗材である実施形態を示す斜視図。
【図１１】津波を上方に回避させるようにした実施形態を示す側断面図。
【図１２】大径のパイプを避難空間とした実施形態を示す側面図。
【図１３】洪水対策についての付加的な例を示す説明図。
【符号の説明】
１…砂浜  ２…海面  ５，１１，１３，１８，２０，２２，２５，２９，３７…対抗材。
【図１】
0003968739.tif 000002
【図２】
0003968739.tif 000003
【図３】
0003968739.tif 000004
【図４】
0003968739.tif 000005
【図５】
0003968739.tif 000006
【図６】
0003968739.tif 000007
【図７】
0003968739.tif 000008
【図８】
0003968739.tif 000009
【図９】
0003968739.tif 000010
【図１０】
0003968739.tif 000011
【図１１】
0003968739.tif 000012
【図１２】
0003968739.tif 000013
【図１３】
0003968739.tif 000014